(57)【要約】【課題】簡便な機構により蓋の開閉位置を保持できる蓋開閉機構を提供する。また、要するスペースをより少なくした蓋開閉機構を提供する。【解決手段】上記課題を解決するために、本発明の蓋開閉機構は、内蓋と、内蓋の一辺に有する支軸を回転軸にして開閉操作される外蓋と、外蓋と一体になっており、開閉とともに回転する第一のカム部材と、第一のカム部材と当接する第二のカム部材とを備え、外蓋は、第一のカム部材が第一の領域において第二のカム部材と当接しているときに開閉操作が解除されると開状態に保持される一方、第一のカム部材が第二の領域において第二のカム部材と当接しているときに開閉操作が解除されると閉状態に保持される。【選択図】図３
2011049344.tif 000002
【特許請求の範囲】
【請求項１】
内蓋と、
前記内蓋の一辺に有する支軸を回転軸にして開閉操作される外蓋と、
前記外蓋と一体になっており、前記開閉とともに回転する第一のカム部材と、
前記第一のカム部材と当接する第二のカム部材と、を備え、
前記外蓋は、前記第一のカム部材が第一の領域において前記第二のカム部材と当接しているときに開閉操作が解除されると閉状態に保持される一方、前記第一のカム部材が第二の領域において前記第二のカム部材と当接しているときに開閉操作が解除されると開状態に保持される、
蓋開閉機構。
【請求項２】
前記第二のカム部材を前記第一のカム部材の方向に押圧し、前記第一のカム部材と前記第二のカム部材の当接する位置が変位することにより押圧力が変化する押圧部材を更に、備え、
前記押圧部材は、前記第一のカム部材が前記第二のカム部材と当接する位置が第一の領域と第二の領域との間を移行する区間の中間に前記押圧部材の押圧力が最大となる位置が存在する、
請求項１に記載の蓋開閉機構。
【請求項３】
前記第一のカム部材は筒状の部材であって前記支軸に貫通されており、
前記第二のカム部材は、前記支軸に貫通されて位置し、前記支軸に対して軸方向に摺動し、
前記押圧部材は、前記支軸に貫通されて位置し、前記支軸に対して軸方向に弾性する、
請求項１または２のいずれかに記載の蓋開閉機構。
【請求項４】
請求項１から３のいずれかに記載の蓋開閉機構を搭載した電子機器。
【発明の詳細な説明】
【技術分野】
【０００１】
本発明は蓋開閉機構に関するものであり、特に電子機器等に備わる蓋開閉機構に関するものである。
【背景技術】
【０００２】
デジタルカメラなどの電子機器本体の小型化が進んでいる。電子機器本体の小型化のために、電子機器に搭載する部品小型化や、電子機器のスペースの有効活用の検討がなされている。小型化やスペースの有効活用のため、電子機器に備わる蓋機構についても従来種々の工夫がなされてきている。
【０００３】
例えば、特許文献１は、被隠蔽部から離間する方向に引き出されることで、ヒンジの端部が傾斜部に当接してヒンジが弾性変形し、ヒンジの弾性力によって被隠蔽部から離間する方向に付勢される蓋体を備えた電子機器を開示している。これにより、蓋体を機器に搭載した際にヒンジを配置するスペースを少なくすることができるとしている。
【先行技術文献】
【特許文献】
【０００４】
【特許文献１】特開２００９-２５６６０号公報
【発明の概要】
【発明が解決しようとする課題】
【０００５】
しかしながら、特許文献１の電子機器においては、電子機器内部に弾性体であるヒンジを挿入するスペースが必要である。また特許文献１のヒンジは、弾性力を確保するためにある程度の厚さが必要であるため、相応のスペースを要していた。また、ヒンジの弾性力によって端子カバーが開くようになっており、端子カバーが開いたときに所定の位置に保持されるものではなかった。そのため、端子を抜き差しするときに、端子カバーが邪魔になって使い勝手が悪かった。
【０００６】
本発明は上記課題を鑑みてなされたものであり、簡便な機構により蓋の開閉位置を保持できる蓋開閉機構を提供することを第一の目的とする。
【０００７】
また、蓋開閉機構に要するスペースをより少なくした蓋開閉機構を提供し、該蓋開閉機構を採用することによってより小型化を実現できる電子機器を提供することを第二の目的とする。
【課題を解決するための手段】
【０００８】
上記課題を解決するために、本発明の蓋開閉機構は、内蓋と、内蓋の一辺に有する支軸を回転軸にして開閉操作される外蓋と、外蓋と一体になっており、開閉とともに回転する第一のカム部材と、第一のカム部材と当接する第二のカム部材とを備え、外蓋は、第一のカム部材が第一の領域において第二のカム部材と当接しているときに開閉操作が解除されると閉状態に保持される一方、第一のカム部材が第二の領域において第二のカム部材と当接しているときに開閉操作が解除されると開状態に保持される。
【０００９】
また、本発明の蓋開閉機構において、第一のカム部材は筒状の部材であって支軸に貫通されており、第二のカム部材は、支軸に貫通されて位置し、支軸に対して軸方向に摺動し、押圧部材は、支軸に貫通されて位置し、支軸に対して軸方向に弾性する。
【発明の効果】
【００１０】
本発明により、より簡便な機構により蓋の開閉位置を保持できる蓋開閉機構を提供できる。また、要するスペースをより少なくした蓋開閉機構を提供できる。
【図面の簡単な説明】
【００１１】
【図１】実施の形態１に係る蓋開閉機構１０１を備えるデジタルカメラ１００の外観図
【図２】実施の形態１に係る蓋開閉機構１０１の分解斜視図
【図３】実施の形態１に係る蓋開閉機構１０１の外蓋１２５が閉じた位置にあるときの図
【図４】実施の形態１に係る蓋開閉機構１０１の外蓋１２５が反転ポイント位置にあるときの図
【図５】実施の形態１に係る蓋開閉機構１０１の外蓋１２５が開いた位置にあるときの図
【図６】実施の形態１に係る蓋開閉機構１０１の開閉動作を説明するためのカム線図
【発明を実施するための形態】
【００１２】
〔実施の形態１〕
以下、図を用いて本実施の形態１に係る蓋開閉機構１０１について説明する。なお、本実施の形態１では、蓋開閉機構１０１をデジタルカメラ１００に実装した場合で説明する。
【００１３】
〔１−１．構成〕
まず、デジタルカメラ１００に実装した蓋開閉機構１０１の構成について、図１および図２を用いて説明する。
【００１４】
図１は、実施の形態１に係る蓋開閉機構１０１を備えるデジタルカメラ１００の外観図である。図２は、実施の形態１に係る蓋開閉機構１０１の分解斜視図である。図１（ａ）に示すように、デジタルカメラ１００は、外装に蓋開閉機構１０１、液晶モニタ１１２、操作釦１１４、レリーズ釦１１１、モードダイアル１１０、内蔵フラッシュ１１３などを備えている。実施の形態１では、電源端子や、ＨＤＭＩ端子などの端子１３０に対する蓋開閉機構１０１を説明するが、本発明はこれに限定されない。例えば電源バッテリの蓋開閉機構に本発明を適用してもよい。
【００１５】
蓋開閉機構１０１は、図１（ｂ）および図２に示すように、外蓋１２５、筒状部材１２１、突起筒状部材１２２、支軸１２０、摺動部材１２３、弾性部材１２４、内蓋１２６によって構成される。
【００１６】
外蓋１２５は、支軸１２０を回転軸として内蓋１２６に対して開閉する。外蓋１２５が開いているときは、端子１３０が露出する。これにより、デジタルカメラ１００は、端子１３０を介して外部装置と接続することができる。端子１３０を使用しないときは、外蓋１２５を閉じて端子１３０を隠蔽し、埃等が侵入するのを防ぐ。
【００１７】
筒状部材１２１および突起筒状部材１２２は、外蓋１２５に一体成型されている。支軸１２０は、筒状部材１２１、突起筒状部材１２２、摺動部材１２３、弾性部材１２４を貫通する。
【００１８】
突起筒状部材１２２は、一端に突起部１２２ｂを有している。また、突起筒状部材１２２は、突起部１２２ｂの突起の裾野両側に平部１２２ａおよび平部１２２ｃを有している。摺動部材１２３は、一端に突起部１２３ａを有している。また、摺動部材１２３は、支軸１２０に対して空回りしてしまわないように、内蓋１２６と係合する係合部（不図示）を有している。
【００１９】
突起筒状部材１２２および摺動部材１２３は、それぞれの突起部側端部、すなわち突起部１２２ｂ側端部と突起部１２３ａ側端部とが向かい合うよう配置されている。また、弾性部材１２４は、摺動部材１２３の突起部１２３ａとは反対側の端部に当接するように配置されている。外蓋１２５が支軸１２０を回転軸として開閉する際、外蓋１２５と一体成型されている突起筒状部材１２２および筒状部材１２１も回転する。このとき、突起筒状部材１２２の突起部１２２ｂおよび摺動部材１２３の突起部１２３ａが当接する。この動作の詳細については後述する。なお上述したとおり、摺動部材１２３は内蓋１２６と係合しているため、このとき摺動部材１２３は支軸１２０に対して空回りしない。弾性部材１２４は、支軸１２０の軸方向に弾性変形することができる。弾性部材１２４の弾性力によって、摺動部材１２３は突起筒状部材１２２の方向に常に押圧されている。
【００２０】
支軸１２０は、内蓋１２６のフレームに両端を支持される。蓋開閉機構１０１は、外蓋１２５、筒状部材１２１、突起筒状部材１２２、支軸１２０、摺動部材１２３、弾性部材１２４、内蓋１２６により一つのユニットとして構成することができる。そのため、蓋開閉機構１０１は、デジタルカメラ１００に組み立てやすい構成となる。また、蓋開閉機構１０１の生産時において、蓋開閉機構単位での部品保証ができる。
【００２１】
〔１−２．本発明との対応関係〕
内蓋１２６は、本発明の内蓋の一例である。支軸１２０は、本発明の支軸の一例である。外蓋１２５は、本発明の外蓋の一例である。突起筒状部材１２２は、本発明の第一のカム部材の一例である。摺動部材１２３は、本発明の第二のカム部材の一例である。弾性部材１２４は、本発明の押圧部材の一例である。蓋開閉機構１０１は、本発明の蓋開閉機構の一例である。デジタルカメラ１００は、本発明の電子機器の一例である。
【００２２】
〔１−３．動作〕
続いて、本実施の形態１に係る蓋開閉機構１０１の動作について説明する。
【００２３】
蓋開閉機構１０１は、外蓋１２５が蓋基盤１２６に対して開いた位置または閉じた位置になるように、いずれか一方の状態を選択的に保持することができる。以下、本実施の形態１に係る蓋開閉機構１０１の動作について、外蓋１２５の閉じたとき、反転ポイント位置にあるとき、開いたときのそれぞれの図を用いて説明する。
【００２４】
図３は、蓋開閉機構１０１の外蓋１２５が閉じた位置の図である。図４は、外蓋１２５が反転ポイント位置にある時の図である。図５は、蓋開閉機構１０１の外蓋１２５が開いた位置の図である。
【００２５】
外蓋１２５が、図３に示すように閉じた位置にあるとき、摺動部材１２３の突起部１２３ａは、突起筒状部材１２２の平部１２２ａと当接している。弾性部材１２４は、その弾性力により摺動部材１２３を突起筒状部材１２２の方向に押圧している。この弾性部材１２４による押圧があるため、摺動部材１２３の突起部１２３ａは勝手に突起筒状部材１２２の突起部１２２ｂを乗り越えない。そのため、このとき外蓋１２５は閉じた位置に保持される。
【００２６】
使用者が外蓋１２５を内蓋１２６に対して開く操作をすると、摺動部材１２３の突起部１２３ａは、突起筒状部材１２２の突起部１２２ｂを平部１２２ｃの方向に乗り越える。図４は、外蓋１２５が反転ポイント位置に達したときの状態を示す。このとき、摺動部材１２３の突起部１２３ａが突起筒状部材１２２の突起部１２２ｂを乗り越えようと当接していくことにより、摺動部材１２３の位置は支軸１２０に対して弾性部材１２４の方向に変位していく。そしてこれに伴い、弾性部材１２４は弾性変形し弾性力を蓄えていく。
【００２７】
摺動部材１２３の突起部１２３ａが突起筒状部材１２２の突起部１２２ｂの頂上を乗り越える前に使用者が外蓋１２５の操作を解除すると、弾性部材１２４は蓄えた弾性力を開放して再び外蓋１２５が閉じた位置に戻る。一方、摺動部材１２３の突起部１２３ａが突起筒状部材１２２の突起部１２２ｂの頂上を乗り越えた後に使用者が外蓋１２５の操作を解除すると、弾性部材１２４は蓄えた弾性力を開放して外蓋１２５は内蓋１２６に対して開いた状態になる。
【００２８】
外蓋１２５が、図５に示すように開いた位置にあるとき、摺動部材１２３の突起部１２３ａは、突起筒状部材１２２の平部１２２ｃと当接している。弾性部材１２４は、その弾性力により摺動部材１２３を突起筒状部材１２２の方向に押圧している。この弾性部材１２４による押圧があるため、摺動部材１２３の突起部１２３ａは勝手に突起筒状部材１２２の突起部１２２ｂを乗り越えない。そのため、このとき外蓋１２５は開いた位置に保持される。
【００２９】
上記のように、本実施の形態１に係る蓋開閉機構１０１は、摺動部材１２３の突起部１２３ａと、突起筒状部材１２２の突起部１２２ｂ、平部１２２ａおよび平部１２２ｃによりカムを形成している。外蓋１２５が内蓋１２６に対して閉じた位置にあるときをカム回転角０、開いた位置にあるときをカム回転角θとすると、突起筒状部材１２２に対する摺動部材１２３のリフト量は図６のように表される。すなわち、使用者の外蓋１２５の操作によりカム回転角が０からθ／２になるに従ってリフト量が増加する。カム回転角がθ／２に達するとリフト量が最大になる。すなわちこのとき弾性部材１２４の弾性力は最大となる。そして、カム回転角がθ／２を越えると、リフト量は減少し、カム回転角はθに達する。
【００３０】
上記では、外蓋１２５が内蓋１２６に対して閉じた位置から開いた位置に移行するときの場合を説明した。外蓋１２５が内蓋１２６に対して開いた位置から閉じた位置に移行するときも上記と同様に動作する。
【００３１】
〔１−４．まとめ〕
上記のように、本実施の形態１に係る蓋開閉機構１０１は、内蓋１２６と、内蓋１２６の一辺に有する支軸１２０を回転軸にして開閉操作される外蓋１２５と、外蓋１２５と一体になっており、開閉とともに回転する突起筒状部材１２２と、突起筒状部材１２２と当接する摺動部材１２３とを備え、外蓋１２５は、突起筒状部材１２２がカム回転角０〜θ／２において摺動部材１２３と当接しているときに開閉操作が解除されると閉状態に保持される一方、突起筒状部材１２２がカム回転角θ／２〜θにおいて摺動部材１２３と当接しているときに開閉操作が解除されると開状態に保持される。これにより、蓋開閉機構１０１は、外蓋１２５が内蓋１２６に対して開いた位置または閉じた位置になるように、いずれか一方の状態を選択的に保持することができる。
【００３２】
また、本実施の形態１に係る蓋開閉機構１０１は、摺動部材１２３を突起筒状部材１２２の方向に押圧し、突起筒状部材１２２と摺動部材１２３の当接する位置が変位することにより弾性力が変化する弾性部材１２４を更に備え、弾性部材１２４は、突起筒状部材１２２が摺動部材１２３と当接する位置がカム回転角０〜θ／２とカム回転角θ／２〜θとの間を移行する区間の中間に弾性部材１２４の弾性力が最大となる位置が存在する。これにより、蓋開閉機構１０１は、外蓋１２５が内蓋１２６に対して開いた位置から閉じた位置に勝手に遷移しない。また同様に、蓋開閉機構１０１は、外蓋１２５が内蓋１２６に対して閉じた位置から開いた位置に勝手に遷移しない。
【００３３】
また、本実施の形態１に係る蓋開閉機構１０１において、突起筒状部材１２２は筒状の部材であって支軸１２０に貫通されており、摺動部材１２３は支軸１２０に貫通されて位置し、支軸１２０に対して軸方向に摺動し、弾性部材１２４は、支軸１２０に貫通されて位置し、支軸１２０に対して軸方向に弾性する。これにより、蓋開閉機構１０１は、外蓋１２５の開閉状態を保持するための部材を支軸１２０上に備えることができる。すなわち、部材配置の必要スペースが支軸１２０上でよい。
【００３４】
従来、蓋開閉機構に板ばねを採用すると、曲げ角度のバラツキにより荷重調整がしにいという問題があった。しかし、蓋開閉機構１０１の弾性部材１２４は線ばねを採用しているため荷重調整がしやすい。また、蓋開閉機構に板ばねを採用すると、蓋体の周辺部に突起を設けて、ばねを蹴る構成をとるためのスペースが必要であったが、蓋開閉機構１０１は、そのスペースが不要である。
【００３５】
蓋開閉機構１０１は、特許文献１の蓋開閉機構のようにデジタルカメラ１００の筐体内部にスペースを設ける必要もない。そのため、本発明の蓋開閉機構１０１によってデジタルカメラ１００は必要スペースを少なくすることができる。そして、これによりデジタルカメラ１００は、その本体の更なる小型化を実現できる。
【００３６】
〔１−５．他の実施形態〕
上記の説明では、摺動部材１２３に突起部が一つ有し、突起筒状部材１２２に突起部が一つ有している場合を説明したが、本発明はこれに限定されない。すなわち、摺動部材１２３および突起筒状部材１２２の両方または一方が複数の突起部を有していてもよい。要するに、本発明は、摺動部材１２３または突起筒状部材１２２のいずれか一方の突起部が他方の突起部を乗り越える構成であれば適用可能である。摺動部材１２３および突起筒状部材１２２のいずれか一方が複数の突起部を有しているときの蓋開閉機構によれば、外蓋１２５の内蓋１２６に対して完全に開いた状態と、閉じた状態の間に中間の状態を複数段設けることができる。
【産業上の利用可能性】
【００３７】
本発明に係る蓋開閉機構はデジタルカメラへの実装に限らず、ムービーカメラ、テレビ、ビデオ等の他の電子機器にも実装可能である。すなわち、蓋機構を要する機器に実装可能である。
【符号の説明】
【００３８】
１００    デジタルカメラ
１０１    蓋開閉機構
１１０    モードダイアル
１１１    レリーズ釦
１１２    液晶モニタ
１１３    内蔵フラッシュ
１１４    操作釦
１２０    支軸
１２１    筒状部材
１２２    突起筒状部材
１２２ａ    平部
１２２ｂ    突起部
１２２ｃ    平部
１２３    摺動部材
１２３ａ    突起部
１２４    弾性部材
１２５    外蓋
１２６    内蓋
１３０    端子
【図１】
2011049344.tif 000003
【図２】
2011049344.tif 000004
【図３】
2011049344.tif 000005
【図４】
2011049344.tif 000006
【図５】
2011049344.tif 000007
【図６】
2011049344.tif 000008